(57)【要約】【課題】予め設定されている通常受信時期と使用者が設定する任意受信時期の両方の受信時期に基づいた表示時刻の修正処理を行うことができる電波修正時計を提供する。【解決手段】標準時刻情報信号を含む標準電波を受信する電波受信部２と、電波受信部２で標準電波を受信する受信処理時期として予め設定された通常受信時期を記憶可能な通常受信時期記憶部２２と、受信処理時期として操作者が任意に設定した任意受信時期を記憶可能な任意受信時期記憶部２４と、任意受信時期記憶部２４に任意受信時期を設定するための任意受信時期設定制御部２３と、通常受信時期と任意受信時期の両方の受信時期に基づいて電波受信部２による標準電波の受信動作を実行させる受信動作制御部２５とを備え、任意受信時期設定制御部２３は、通常受信時期記憶部２２に記憶された通常受信時期を除くその他の受信時期を任意受信時期記憶部２４に記憶させるように制御する。【選択図】図１
2008203233.tif 000002
【特許請求の範囲】
【請求項１】
標準時刻情報信号を含む標準電波を受信する電波受信手段と、前記電波受信手段で前記標準電波を受信する受信処理時期として予め設定された通常受信時期を記憶可能な通常受信時期記憶手段と、前記受信処理時期として操作者が任意に設定した任意受信時期を記憶可能な任意受信時期記憶手段と、前記任意受信時期記憶手段に前記任意受信時期を設定するための設定制御手段と、前記通常受信時期と前記任意受信時期の両方の受信時期に基づいて前記電波受信手段による前記標準電波の受信動作を実行させる受信動作制御手段とを備え、前記両方の受信時期に前記電波受信手段で受信した前記標準電波から抽出した前記標準時刻情報信号に基づいて時刻を修正する電波修正時計であって、
前記設定制御手段は、前記通常受信時期記憶手段に記憶された前記通常受信時期を除くその他の受信時期を前記任意受信時期記憶手段に記憶させるように制御する、
ことを特徴とする電波修正時計。
【請求項２】
前記通常受信時期記憶手段が前記通常受信時期として複数の受信時期を記憶している場合に、前記複数の受信時期のうちの少なくとも一つの受信時期を除くその他の受信時期を、操作者の操作によって任意の受信時期に変更して設定可能であり、前記設定制御手段は、この変更して設定された受信時期を任意受信時期として前記任意受信時期記憶手段に記憶させる、
ことを特徴とする請求項１に記載の電波修正時計。
【請求項３】
前記任意受信時期記憶手段に記憶された前記変更して設定された受信時期を表示可能な表示手段を有している、
ことを特徴とする請求項２に記載の電波修正時計。
【請求項４】
前記任意受信時期記憶手段は、前記任意受信時期として複数の受信時期を記憶可能であり、前記設定制御手段は、前記通常受信時期記憶手段に記憶された前記通常受信時期と、前記任意受信時期記憶手段に先に記憶された任意受信時期とを除くその他の受信時期を前記任意受信時期記憶手段に記憶させる、
ことを特徴とする請求項１に記載の電波修正時計。
【請求項５】
前記任意受信時期記憶手段に記憶された前記その他の受信時期を順番に切り替えて表示可能な表示手段を有している、
ことを特徴とする請求項４に記載の電波修正時計。
【請求項６】
前記任意受信時期記憶手段に記憶された前記その他の受信時期を同時に表示可能な表示手段を有している、
ことを特徴とする請求項４に記載の電波修正時計。
【請求項７】
前記通常受信時期でのみ受信動作を実行する自動受信モードと、前記通常受信時期と前記任意受信時期の両方での受信動作を実行する複合受信モードとを有し、前記複合受信モードのときだけ前記任意受信時期を前記表示手段に表示させる、
ことを特徴とする請求項３に記載の電波修正時計。
【発明の詳細な説明】
【技術分野】
【０００１】
本発明は、標準時刻情報信号を含む標準電波を受信して、抽出した標準時刻情報信号に基づいて表示時刻を修正する電波修正時計に関する。
【背景技術】
【０００２】
標準時刻情報信号を含む標準電波を受信して、抽出した標準時刻情報信号に基づいて表示時刻を修正する機能を有する電波修正時計は、予め設定されている通常受信時期（定期受信時刻）に受信される標準電波から抽出される標準時刻情報信号に基づいて表示時刻の修正処理が自動的に実行される。また、最近では、表示時刻の修正処理を、予め設定されている通常受信時期から操作者（使用者）が任意に設定した任意受信時期（任意受信時刻）に実行できるようにした電波修正時計も提案されている（例えば、特許文献１参照）。
【０００３】
前記特許文献１のような電波修正時計では、通常受信時期として、例えば毎日午前２時、３時、４時に予め設定されている場合に、操作者が任意受信時期として、例えば毎日午後６時、７時、８時に操作ボタンの操作により設定すると、標準電波の受信動作が任意受信時期である毎日午後６時、７時、８時に実行される。なお、通常受信時期および任意受信時期として複数の受信時期（時刻）を設定するのは、電波受信状態等により受信に失敗した場合に再度受信するためであり、最初の受信時期に受信に成功した場合は以降の受信時期での標準電波の受信動作は行わない。
【特許文献１】特開２００６−１１９００９号公報
【発明の開示】
【発明が解決しようとする課題】
【０００４】
前記のように操作者の操作によって任意受信時期を設定した場合は、予め設定されている通常受信時期が全て設定した任意受信時期に変更される。また、通常受信時期は、一般に昼間に比べて雑音ノイズ電波等の影響が少ない真夜中から早朝の時刻（例えば、午前２時、３時、４時の１時間おき）に予め設定されている。
【０００５】
このため、操作者の操作により任意受信時期を真夜中から早朝の時刻以外の時刻（例えば午後６時、７時、８時の１時間おき）に変更して設定した場合、例えば北米に旅行等に出かけて、その日がサマータイム時間（夏時間）の開始日（北米の場合は、４月の第一日曜日の午前２時）であれば、前記通常受信時期に設定されているときにはその日の午前２時（電波受信に失敗した場合には、午前３時か４時）に時刻を１時間進めるような修正を自動的に実行するが、前記のように任意受信時期（例えば午後６時、７時、８時）に変更して設定している場合には、この任意受信時期になるまで表示時刻の修正処理が行われず、サマータイム時間に対応した時刻が長時間表示されない場合がある。
【０００６】
そこで、本発明は、予め設定されている通常受信時期と操作者が設定する任意受信時期の両方の受信時期に基づいた表示時刻の修正処理を行うことができる電波修正時計を提供することを目的とする。
【課題を解決するための手段】
【０００７】
前記目的を達成するために請求項１に記載の発明は、標準時刻情報信号を含む標準電波を受信する電波受信手段と、前記電波受信手段で前記標準電波を受信する受信処理時期として予め設定された通常受信時期を記憶可能な通常受信時期記憶手段と、前記受信処理時期として操作者が任意に設定した任意受信時期を記憶可能な任意受信時期記憶手段と、前記任意受信時期記憶手段に前記任意受信時期を設定するための設定制御手段と、前記通常受信時期と前記任意受信時期の両方の受信時期に基づいて前記電波受信手段による前記標準電波の受信動作を実行させる受信動作制御手段とを備え、前記受信時期に前記電波受信手段で受信した前記標準電波から抽出した前記標準時刻情報信号に基づいて時刻を修正する電波修正時計であって、前記設定制御手段は、前記通常受信時期記憶手段に記憶された前記通常受信時期を除くその他の受信時期を前記任意受信時期記憶手段に記憶させるように制御することを特徴としている。
【０００８】
また、請求項２に記載の発明は、前記通常受信時期記憶手段が前記通常受信時期として複数の受信時期を記憶している場合に、前記複数の受信時期のうちの少なくとも一つの受信時期を除くその他の受信時期を、操作者の操作によって任意の受信時期に変更して設定可能であり、前記設定制御手段は、この変更して設定された受信時期を任意受信時期として前記任意受信時期記憶手段に記憶させることを特徴としている。
【０００９】
また、請求項３に記載の発明は、前記任意受信時期記憶手段に記憶された前記変更して設定された受信時期を表示可能な表示手段を有していることを特徴としている。
【００１０】
また、請求項４に記載の発明は、前記任意受信時期記憶手段は、前記任意受信時期として複数の受信時期を記憶可能であり、前記設定制御手段は、前記通常受信時期記憶手段に記憶された前記通常受信時期と、前記任意受信時期記憶手段に先に記憶された任意受信時期とを除くその他の受信時期を前記任意受信時期記憶手段に記憶させることを特徴としている。
【００１１】
また、請求項５に記載の発明は、前記任意受信時期記憶手段に記憶された前記その他の受信時期を順番に切り替えて表示可能な表示手段を有していることを特徴としている。
【００１２】
また、請求項６に記載の発明は、前記任意受信時期記憶手段に記憶された前記その他の受信時期を同時に表示可能な表示手段を有していることを特徴としている。
【００１３】
また、請求項７に記載の発明は、前記通常受信時期でのみ受信動作を実行する自動受信モードと、前記通常受信時期と前記任意受信時期の両方での受信動作を実行する複合受信モードとを有し、前記複合受信モードのときだけ前記任意受信時期を前記表示手段に表示させることを特徴としている。
【発明の効果】
【００１４】
本発明に係る電波修正時計によれば、予め設定されている通常受信時期と操作者が設定する任意受信時期の両方の受信時期に基づいた表示時刻の修正処理を行うことができ、かつ任意受信時期を、予め設定されている通常受信時期と重複しないようにすることが可能であるので、電波受信手段による標準電波の受信時期の回数が削減されるのを防止することができる。
【発明を実施するための最良の形態】
【００１５】
以下、本発明を図示の実施形態に基づいて説明する。
〈実施形態１〉
図１は、本発明の実施形態１に係る電波修正時計の構成を示すブロック図である。なお、本実施形態における電波修正時計は、指針（時針、分針、秒針）で時刻を表示する腕時計タイプの例である。
【００１６】
図１に示すように、本実施形態に係る電波修正時計１は、標準時刻情報信号を含む標準電波を受信する電波受信部２と、予め設定されている通常受信時期と使用者（操作者）の手動操作により設定される任意受信時期とに基づいて電波受信部２を動作させる受信動作設定制御部３と、運針制御部４と、指針（時針５、分針６、秒針７）を設けた文字板部８を主要構成部として備えている。なお、これらの電波受信部２、受信動作設定制御部３、運針制御部４は、文字板部８の背面側に設置されている。また、この電波修正時計１の電源としては、ボタン型電池等の一次電池や、内蔵した太陽電池で発電された電力を蓄電する蓄電池（二次電池）などを使用することができる。
【００１７】
電波受信部２は、標準電波をアンテナ１０を介して受信する受信部１１と、受信部１１で受信した受信信号（標準電波）ａから時刻データ信号（標準時刻情報信号）ｂを取り出す信号解析部１２と、信号解析部１２で得られた時刻データ信号ｂを受信時刻情報として記録する受信情報記憶部１３を有している。なお、電波受信部２は、本実施形態では使用者の操作ボタン（不図示）の操作により日本、北米（Ｕ．Ｓ．Ａ）、欧州（ドイツ）のいずれかの標準電波（時刻データ）を選択して受信できるように構成されている。
【００１８】
受信動作設定制御部３は、予め設定されている通常受信時期及び使用者の手動操作により設定された任意受信時期になると、電波受信部２を動作させて電波受信部２に標準電波を受信させ、時刻修正動作を実行させる（詳細は後述する）。
【００１９】
運針制御部４は、発振部１４、分周部１５、内部時計カウンタ１６、駆動制御部１７、時分針駆動部１８、秒針駆動部１９、比較部２０、時刻修正制御部２１を有している。
【００２０】
発振部１４は水晶振動子を高周波発振させ、分周部１５はこの発振信号ｃを分周して所定の基準信号ｄを内部時計カウンタ１６に出力する。内部時計カウンタ１６は、この基準信号ｄをカウントして内部時刻信号（基準時刻信号）ｅを駆動制御部１７に出力する。駆動制御部１７は、入力される内部時刻信号（基準時刻信号）ｅに基づいて、時分針駆動部１８に時分針駆動制御信号ｆを出力するとともに、秒針駆動部１９に秒針駆動制御信号ｇを出力する。
【００２１】
時分針駆動部１８は、入力される時分針駆動制御信号ｆに基づいて、時針５と分針６を駆動するステップモータ（不図示）に駆動パルス信号ｈを出力し、秒針駆動部１９は、入力される秒針駆動制御信号ｇに基づいて、秒針７を駆動するステップモータ（不図示）に駆動パルス信号ｉを出力することにより、時針５、分針６、秒針７が内部時刻信号（基準時刻信号）ｅに応じた現時刻を指示する。なお、時針５と分針６は、一つのステップモータにより複数のギア列を介して駆動され、秒針７は、もう一つの別のステップモータにより複数のギア列を介して駆動される。
【００２２】
比較部２０は、電波受信部２による標準電波の受信時において、電波受信部２の受信情報記憶部１３から入力される受信情報信号（時刻データ信号ｂ）ｊと内部時計カウンタ１６から入力される内部時刻信号ｅとを比較して、指針（時針５、分針６、秒針７）が指示する時刻（指針時刻）が受信された時刻（標準時刻）と異なる場合は、その時刻差に応じた時刻差信号ｋを時刻修正制御部２１に出力する。時刻修正制御部２１は、入力される時刻差信号ｋに基づいて時刻修正信号ｌを内部時計カウンタ１６に出力して、内部時計カウンタ１６内のカウント値を増減させ、内部時刻を前記受信された時刻（標準時刻）と一致するように修正する。
【００２３】
受信動作設定制御部３は、通常受信時期記憶部２２と、任意受信時期設定制御部２３と、任意受信時期記憶部２４と、受信動作制御部２５と、表示部２６を有している。
【００２４】
通常受信時期記憶部２２は、電波受信部２による標準電波の受信時間として、予めこの電波修正時計１の製造時に設定されている通常受信時期（定期受信時期）が記憶されている。予め設定されている通常受信時期として、本実施形態では、受信状況により一回で受信できなかった場合を考慮して毎日午前２時、３時、４時の一時間毎の３回の受信時期が設定されている。そして、本実施形態では、さらにこの３回の受信時期のうちの３回目の受信時期（午前４時）を、第１操作ボタン２７の操作により任意受信時期設定制御部２３の設定制御によって任意の任意受信時期に変更できるように構成されている。なお、通常受信時期を午前２時、３時、４時に設定したのは、電波受信が昼間に比べて雑音ノイズ電波等の影響の少ない真夜中から早朝の時刻の方が有利なためである。
【００２５】
任意受信時期設定制御部２３は、使用者が第１操作ボタン２７を操作することにより使用者が設定した任意の任意受信時期（例えば、午前１２時（午前０時））を設定し、この設定した任意受信時期は任意受信時期記憶部２４に記憶される。また、任意受信時期設定制御部２３に設定された任意受信時期は、文字板部８に設けた液晶表示板などからなる表示部２６で表示できるように構成されている。
【００２６】
受信動作制御部２５は、内部時計カウンタ１６から入力される内部時刻信号ｅに基づいて、通常受信時期記憶部２２に記憶されている通常受信時期と任意受信時期記憶部２４に記憶されている任意受信時期になったときに、受信動作信号ｍを電波受信部２に出力する。電波受信部２は、入力される受信動作信号ｍに基づいて標準電波を受信する動作を開始する。
【００２７】
また、本実施形態では、使用者が第２操作ボタン２８を操作することにより、前記した通常受信時期と任意受信時期になったときでも受信動作制御部２５から受信動作信号ｍが電波受信部２に出力されないようにして、受信動作を停止（ＯＦＦ）できるように構成されている。更に、使用者が第３操作ボタン（不図示）を操作することにより、受信動作制御部２５から電波受信部２に強制受信信号が出力され、標準電波の受信動作を開始させることができる。なお、第１操作ボタン２７と第２操作ボタン２８は、文字板部８の側面に設けたリューズ２９の両側近傍にそれぞれ設置されている。
【００２８】
次に前記した受信動作設定制御部３で、通常受信時期のみを設定したときと任意受信時期も併せて設定したときにおける電波修正時計１の動作について説明する。
［通常受信時期のみの設定時］
【００２９】
図２（ａ）、（ｂ）、（ｃ）に示すように、この電波修正時計１の受信動作モードとして、３つのモードが設定されている。それぞれ簡単に説明すると、次の通りである。なお、図２（ａ）、（ｂ）、（ｃ）は、各モードをそれぞれ設定したときの表示部２６での表示状態を示している。
【００３０】
図２（ａ）の“ＡＵＴ”は、通常受信時期のみの受信を実施する自動受信モードであることを示している。この自動受信モード時には、任意受信時期は設定できないので表示されない。
【００３１】
図２（ｂ）の“ＭＡＮ”は、通常受信時期と任意受信時期の両方での受信可能な複合受信モードであることを示している。この複合受信モード時には、任意受信時期が設定可能なので、現在設定されている任意受信時期が表示される。
【００３２】
図２（ｃ）の“ＯＦＦ”は、受信を一切禁止するモードであることを示している。このモード時には、当然ながら任意受信時期は設定できないので表示されない。
【００３３】
これらの３つの各モードは、使用者が任意に選択可能である（例えば、第２操作ボタン２８の操作によって切り替えることができる）。
【００３４】
前記したように本実施形態における電波修正時計１は、通常時においては予め設定されている通常受信時期（本実施形態では、毎日午前２時、３時、４時）になると、受信動作制御部２５は通常受信時期記憶部２２から信号ｎと、内部時計カウンタ１６から入力される内部時刻信号ｅに基づいて電波受信部２へ受信動作信号ｍを出力する。なお、このとき、表示部２６には、例えば、図２（ａ）に示すように通常受信時期の状態に対応した“ＡＵＴ”（オート）の文字が表示される。また、このときは第１操作ボタン２７と第２操作ボタン２８は、操作されていない。
【００３５】
そして、通常受信時期の一回目の午前２時に電波受信部２は、入力される受信動作信号ｍに基づいて標準電波を受信する動作を開始する。
【００３６】
電波受信部２は、標準電波をアンテナ１０を介して受信部１１で受信し、信号解析部１２は、受信部１１で受信した受信信号（標準電波）ａから時刻データ信号ｂを取り出し、この時刻データ信号ｂを受信時刻情報として受信情報記憶部１３に記録する。
【００３７】
なお、電波受信部２は、通常受信時期の一回目の午前２時に標準電波の受信に成功すると、通常受信時期の二回目以降の標準電波の受信は行わない。また、通常受信時期の一回目の午前２時に標準電波の受信に失敗した場合には、通常受信時期の二回目の午前３時に標準電波の受信を再度行い、更に、通常受信時期の二回目の午前２時に標準電波の受信にも失敗した場合には、通常受信時期の三回目の午前４時に標準電波の受信を再度行う。通常受信時期の三回目の午前４時でも標準電波の受信に失敗した場合は、標準電波の受信を停止して時刻修正動作を止めて、次の日の午前２時から標準電波の受信を再度行う。
【００３８】
そして、通常受信時期の一回目の午前２時に標準電波の受信に成功すると、運針制御部４の比較部２０は、電波受信部２の受信情報記憶部１３から入力される受信時刻情報信号（時刻データ信号ｂ）ｊと内部時計カウンタ１６から入力される内部時刻信号ｅとを比較して、指針（時針５、分針６、秒針７）が指示する時刻（指針時刻）が受信された時刻（標準時刻）と異なる場合は、その時刻差に応じた時刻差信号ｋを時刻修正制御部２１に出力する。時刻修正制御部２１は、入力される時刻差信号ｋに基づいて時刻修正信号ｌを内部時計カウンタ１６に出力して、内部時計カウンタ１６内のカウント値を増減させ、内部時刻を前記受信された時刻（標準時刻）と一致するように修正する。
【００３９】
なお、標準電波を受信して比較部２０で受信時刻情報信号（時刻データ信号ｂ）ｊと内部時刻信号ｅとを比較演算処理するまでの時間は、通常数分から１５分程度であり、この間は、内部ノイズの発生を低減させるために秒針７を所定位置に停止状態に保持し、時針５と分針６を１分経過する毎に運針駆動させる。
【００４０】
そして、前記したように指針（時針５、分針６、秒針７）が指示する時刻（指針時刻）が受信された時刻（標準時刻）と異なる場合に、内部時計カウンタ１６は、時刻修正制御部２１から出力される時刻修正信号ｌに基づいて内部時計カウンタ１６内のカウント値を増減させ、内部時刻を前記受信された時刻（標準時刻）と一致するように修正した後に、修正された内部時刻信号ｅを駆動制御部１７に出力する。
【００４１】
駆動制御部１７は、入力される修正された内部時刻信号ｅに基づいて、時分針駆動部１８に時分針駆動制御信号ｆを出力するとともに、秒針駆動部１９に秒針駆動制御信号ｇを出力する。時分針駆動部１８は、入力される時分針駆動制御信号ｆに基づいて、時針５と分針６を駆動するステップモータ（不図示）に駆動パルス信号ｈを出力し、秒針駆動部１９は、入力される秒針駆動制御信号ｇに基づいて、秒針７を駆動するステップモータ（不図示）に駆動パルス信号ｉを出力することにより、時針５、分針６、秒針７が修正した内部時刻信号（基準時刻信号）ｅに応じた現時刻を指示するように運針駆動される。
【００４２】
なお、比較部２０は、電波受信部２の受信情報記憶部１３から出力される受信時刻情報信号（時刻データ信号ｂ）ｊと内部時計カウンタ１６から出力される内部時刻信号ｅとを比較して、指針（時針５、分針６、秒針７）が指示する時刻（指針時刻）が受信された時刻（標準時刻）と一致する場合は、指針（時針５、分針６、秒針７）が指示する時刻にずれが生じていないので、時刻修正動作を解除する。
【００４３】
［通常受信時期の設定に併せて任意受信時刻の設定を行った場合］
前記したように本実施形態における電波修正時計１は、通常受信時期の三回目（午前４時）を、使用者が第１操作ボタン２７を操作することにより使用者が設定した任意受信時期に変更することができる。
【００４４】
即ち、使用者が第１操作ボタン２７を操作することにより、任意受信時期設定制御部２３が任意受信時期を設定可能状態となる。任意受信時期設定制御部２３による設定制御を、図３に示すフローチャートを参照して説明する。
【００４５】
先ず、使用者が第１操作ボタン２７を操作することによって任意受信時期設定制御部２３は使用者が選択した任意の任意受信時期を設定し、この設定した任意受信時期が、通常受信時期記憶部２２から出力される信号（通常受信時期情報）ｏに基づいて、予め設定されている通常受信時期と一致するか否かを判定する（ステップＳ１）。
【００４６】
ステップＳ１で、設定した任意受信時期が通常受信時期と重複（一致）した場合には（ステップＳ１：ＹＥＳ）、表示部２６に設定した任意受信時期が通常受信時期と重複していることを警告するような表示を表示部２６に行い（ステップＳ２）、使用者に警告させる。この場合の警告表示としては、例えば選択した任意受信時期の表示面上に網目をかけるような処理を行う。なお、この警告の手段としては、表示面上に網目をかける手段以外にも、例えば、再度受信時間を設定させるように促す文字などを表示させたり、ブザーなどから発せられる音で警告を出したり、これらの組み合わせであってもよい。
【００４７】
一方、ステップＳ１で、設定した任意受信時期が通常受信時期と重複していない場合には（ステップＳ１：ＮＯ）、任意受信時期記憶部２４に信号ｐを出力して任意受信時期を記憶させる（ステップＳ３）。なお、このとき、表示部２６には任意受信時期設定制御部２３から出力される信号ｑに基づいて、例えば、図２（ｂ）に示すように任意受信時期の状態に対応した“ＭＡＮ”（マニュアル）の文字と、設定した任意受信時期の時刻である“１２：００”と、午前を示す“Ａ”（Ａ．Ｍ．）が表示される。
【００４８】
そして、受信動作制御部２５は、通常受信時期記憶部２２から出力される信号ｎと任意受信時期記憶部２４から出力される信号ｒとが、内部時計カウンタ１６から入力される内部時刻信号ｅに一致したか否かに基づいて、電波受信部２へ受信動作信号ｍを出力する。即ち、電波受信部２は、入力される受信動作信号ｍに基づいて、一回目、二回目に標準電波を受信するための時刻は通常受信時期（本実施形態では、毎日午前２時、３時）であり、三回目に標準電波を受信するための時刻は使用者が設定した任意受信時期（本実施形態では、毎日午前１２時）である。
【００４９】
このように、電波受信部２を動作させるための通常受信時期が複数の場合に、そのうちの一つの受信時期を使用者が設定した任意受信時期に容易に変更させることができる。
【００５０】
よって、前記したように使用者が任意受信時期を設定したときにおいても、例えば北米に旅行等に出かけて、その日がサマータイム時間（夏時間）の開始日（北米の場合は、４月の第一日曜日の午前２時）の場合に、予め設定されている通常受信時期（午前２時、３時）に時刻を１時間進めるような修正を自動的に実行するができる。
【００５１】
また、使用者が第２操作ボタン２８を操作することにより、前記した通常受信時期と任意受信時期になったときでも受信動作制御部２５から受信動作信号ｍが電波受信部２に出力されず、受信動作が停止（ＯＦＦ）される。このとき、表示部２６には、例えば、図２（ｃ）に示すように受信動作を停止状態に対応した“ＯＦＦ”（オフ）の文字が表示される。
【００５２】
なお、実施形態１では、使用者に任意の受信時期を選択させるようにしているが、本発明はこれに限定されるものではなく、例えば、推奨する受信時期を複数表示し、操作ボタンで選択できるようにしてもよい。また、使用者が希望する受信時期を時、分単位で入力できるようにしてもよいし、所定の時間幅で受信時期を増減させてもよい。
【００５３】
〈実施形態２〉
本実施形態では、使用者が第１操作ボタン２７を操作することによって任意受信時期設定制御部２３は使用者が選択した複数の任意の任意受信時期を設定する。この際、任意受信時期設定制御部２３は、選択した複数の任意の任意受信時期に対して、通常受信時期記憶部２２に記憶されている通常受信時期と、任意受信時期記憶部２４に以前（先）に記憶された任意受信時期とを除くその他の受信時期を任意受信時期記憶部２４に記憶させる。
【００５４】
また、本実施形態では、１５分間隔で任意受信時期の時刻を設定できるようにした。なお、本実施形態における電波修正時計の構成も、図１に示した実施形態１の電波修正時計と同様である。
【００５５】
任意受信時期記憶部２４に記憶された複数の任意受信時期は、例えば、図４に示すように、表示部２６に表示される。図４では、任意受信時期の状態に対応した“ＭＡＮ”（マニュアル）の文字と、設定した任意受信時期である“５：００”と“２３：４５”が表示されている。また、任意受信時期記憶部２４に記憶された任意受信時期が二つ以上の場合には、その次の受信時期を順番に切り替えて表示することができるように構成されている。
【００５６】
次に、前記した本実施形態における任意受信時期の設定制御を、図５に示すフローチャートを参照して説明する。
【００５７】
先ず、使用者が第１操作ボタン２７（図１参照）を操作することによって任意受信時期設定制御部２３は使用者が選択した複数の任意の任意受信時期を設定し、この選択した任意受信時期が、通常受信時期記憶部２２から出力される信号（通常受信時期情報）ｏに基づいて、予め設定されている通常受信時期と一致するか否かを判定する（ステップＳ１１）。
【００５８】
ステップＳ１１で、設定した任意受信時期が通常受信時期と重複（一致）した場合には（ステップＳ１１：ＹＥＳ）、表示部２６に選択した任意受信時期が通常受信時期と重複していることを警告するような表示を表示部２６に行い（ステップＳ１２）、使用者に警告させる。この場合の警告表示としては、例えば選択した任意受信時期の表示面上に網目をかけるような処理を行う。
【００５９】
一方、ステップＳ１１で、設定した任意受信時期が通常受信時期と重複していない（一致していない）場合には（ステップＳ１１：ＮＯ）、ステップＳ１３に進む。ステップＳ１３で、設定された任意受信時期が任意受信時期記憶部２４に以前（先）に記憶された任意受信時期と重複した場合には（ステップＳ１３：ＹＥＳ）、表示部２６に選択した任意受信時期が通常受信時期と重複していることを警告するような表示を表示部２６に行い（ステップＳ１２）、使用者に警告させる。この場合の警告表示としては、例えば選択した任意受信時期の表示面上に網目をかけるような処理を行う。
【００６０】
また、ステップＳ１３で、設定された任意受信時期が以前（先）に記憶された任意受信時期と重複していない（一致していない）場合には（ステップＳ１３：ＮＯ）、任意受信時期記憶部２４に信号ｐを出力して、設定した任意受信時期を記憶する（ステップＳ１４）、なお、このとき、表示部２６には任意受信時期設定制御部２３から出力される信号ｑに基づいて、例えば、前記図４に示したような二つ任意受信時期が表示される。
【００６１】
このように、本実施形態では、任意受信時期記憶部２４に記憶された任意受信時期が二つ以上の場合でも、その次の受信時期を順番に切り替えて表示することができるので、使用者に対して設定した任意受信時期を視覚的に確認させることができる。
【００６２】
なお、実施形態２では、１５分間隔で任意受信時期の時刻を設定できるようにしたので、例えば、一回の受信動作にかかる最大の受信時間が１５分だとした場合には、以前（先）に記憶された任意受信時期での受信動作が終了してから次の任意受信時期が到来して受信動作を実行するようになっている。従って、以前（先）に記憶された任意受信時期での受信動作中に、後に設定した別の任意受信時期が到来することにより、後で設定した任意受信時期での受信動作が無視されるということはなくなり、必ず設定した回数分だけ受信動作を実行させることが可能となる。
【００６３】
このように、一回の受信動作にかかる最大の受信動作時間をも考慮することにより、後から設定される任意受信時期が、以前（先）に記憶された任意受信時期や通常受信時期に、最大受信動作時間を加味した受信時期と重複しないように設定して制御してもよい。
【００６４】
〈実施形態３〉
実施形態２では、任意受信時期記憶部２４に記憶された任意受信時期が二つ以上の場合には、その次の受信時期を順番に切り替えて表示するようにしたが、本実施形態では、任意受信時期記憶部２４に記憶された任意受信時期が二つ以上の場合でも、例えば、図６に示すように、複数の任意受信時期を表示部２６に同時に表示することができるように構成されている。
【００６５】
図６では、任意受信時期の状態に対応した“ＭＡＮＵＡＬ  ＳＥＴＴＩＮＧ”（マニュアル・セッティグ）の文字と、設定した任意受信時期“２００６／１２／２３  ＳＡＴ  ５：００”と、“２００６／１２／３０  ＳＡＴ  ４：３０”と、“ＳＵＮ  １：３０”が同時に表示されている。
【００６６】
このように、本実施形態では、任意受信時期記憶部２４に記憶された任意受信時期が二つ以上の場合でも、それらを全て同時に表示することができるので、使用者に対して設定した任意受信時期を視覚的に容易に確認させることができる。
【００６７】
なお、前記した各実施形態では、本発明に係る電波修正時計をアナログ式の腕時計に適用した例であったが、これ以外にも、例えば、懐中時計、掛時計、置時計、デジタル式の腕時計などにおいても同様に本発明を適用することができる。また、電波修正時計を内蔵した、デジタルカメラ、デジタルビデオカメラ、ゲーム機器、携帯電話機、ＰＤＡ、パソコン、家電機器等おいても同様に本発明を適用することができる。
【図面の簡単な説明】
【００６８】
【図１】本発明の実施形態１、２、３に係る電波修正時計（アナログ式の腕時計）の構成を示すブロック図。
【図２】本発明の実施形態１に係る電波修正時計の表示部での表示例を示す図。
【図３】本発明の実施形態１における任意受信時期の設定制御を示すフローチャート。
【図４】本発明の実施形態２に係る電波修正時計の表示部での表示例を示す図。
【図５】本発明の実施形態２における任意受信時期の設定制御を示すフローチャート。
【図６】本発明の実施形態３に係る電波修正時計の表示部での表示例を示す図。
【符号の説明】
【００６９】
１        電波修正時計
２        電波受信部
３        受信動作設定制御部
４        運針制御部
５        時針
６        分針
７        秒針
１０      アンテナ
１１      受信部
１６      内部時刻カウンタ
１７      駆動制御部
１８      時分針駆動部
１９      秒針駆動部
２０      比較部
２１      時刻修正制御部
２２      通常受信時期記憶部
２３      任意受信時期設定制御部
２４      任意受信時期記憶部
２５      受信動作制御部
２６      表示部
【図１】
2008203233.tif 000003
【図２】
2008203233.tif 000004
【図３】
2008203233.tif 000005
【図４】
2008203233.tif 000006
【図５】
2008203233.tif 000007
【図６】
2008203233.tif 000008